(57)【特許請求の範囲】
【請求項１】
生体が発する微弱な電磁気的エネルギを検知するプローブと、前記プローブと電気的に接続された本体部と、を備え、
前記プローブが、クロス積層状態に配列された複数のブリッジダイオードの端子をそれぞれ並列に接続して形成された積層ダイオードと、前記積層ダイオードの端子と接続されたフェライトコアと、前記積層ダイオードの端子からそれぞれ延設された接続コードと、を有し、
前記本体部が、格子状のグリッドフェライトの複数箇所に付設された複数の導電部材と、それぞれの前記導電部材上にクロス積層状態にして配置された複数のブリッジダイオードと、複数の前記ブリッジダイオードの端子同士を並列接続して形成された回路に導通する接続端子と、を有することを特徴とするエネルギ検知装置。
【請求項２】
前記プローブに、前記フェライトコアに開設された貫通孔を通過して外部に向かってレーザ光を出射可能なレーザ発振手段を設けた請求項１記載のエネルギ検知装置。
【請求項３】
前記本体部に、前記プローブの前記フェライトコアにパルス電流を供給する発振回路を設けた請求項１または２記載のエネルギ検知装置。
【請求項４】
前記発振手段に、周波数１Ｈｚ〜１７ｋＨｚの範囲で連続的に周波数が変化するパルス電流を発振可能なオートスウィープ発振回路を設けた請求項３記載のエネルギ検知装置。
【請求項５】
前記本体部に、周波数１Ｈｚ〜１７ｋＨｚの範囲内の何れかの周波数のパルス電流を選択的に発振可能な発振回路を設けた請求項３または４記載のエネルギ検知装置。
【発明の詳細な説明】
【技術分野】
【０００１】
本発明は、人間や動物の身体から発せられる微弱な電磁気的エネルギを検知し、病気の発見、治療に有効な情報を得ることのできるエネルギ検知装置に関する。
【背景技術】
【０００２】
一般に医者が患者を診察する場合、従来、問診、触診、聴診あるいはＸ線検査、ＭＲＩ検査などの様々な検査方法が採用されている。一方、東洋医学においては、怪我や火傷のようなものを除き、病気は何れかの内臓に異常が発生することによって起こると考えられ、各内臓は「経絡」を通して「経穴（ツボ）」と繋がっていると考えられている。また、「経穴（ツボ）」とは「気」を発するポイントであり、「気」というエネルギの流れる道筋を総称したものが「経絡」であると考えられている。
【０００３】
人体は神経細胞内を流れる微弱な電流の信号によって各細胞や臓器へ命令が伝えられ、生命を維持している。しかし、近年では、ストレスなどによる身体の変調や、電磁波などの影響により、身体内を流れる電流に乱れが生じ、様々な疾病を引き起こしているという意見もある。内臓あるいはその他の身体の一部分に不調が生じると、その場所と関係のある経穴上に異常が現れる。つまり、経穴とは、内臓などの不調や異常が身体の表面に現れてくる場所とも考えられている。
【０００４】
人間の身体が、病気に罹ると、それに対応した「経絡」の「気」の流れに異常が生じ、それによって「経穴」にも変化が現れるので、その「経穴」を刺激すると病気の治療ができると考えられている。このように、病気に対応する部位にある「経穴」を刺激することにより、内臓の不調を整えていくのが、従来の鍼灸治療法と呼ばれるものである。
【０００５】
「気」というものは、本来、東洋医学的な考えから発しているが、西洋医学においても「波動」として捉えられ、研究も行われている。人間の身体は極小の細胞の集まりであると考え、更に、そのミクロの細胞を追求していくと、全ては「波動」であるとする考え方である。そして、「波動調整器」などと呼ばれる装置を用いて「経穴」にレーザによる刺激を加えることにより、快感物質であるエンドルフィンやドーパミンを放出させ、さらには、波動を調整して、経絡の中の気の異常を正常に戻し、本来のバランスの良い状態にする療法（例えば、「波動調整療法」など）が提案されている。
【０００６】
このように、人間の身体の皮膚上に存在する「経穴」に対し、熱、圧力、電位、磁力線等の適正な刺激を与えると、経絡を介して諸器官や内臓に作用し、生体の免疫機能、防御機能、自律神経系の恒常性維持機能が活性化し、異常な生体機能が正常化されてくることが知られている。しかしながら、「経穴」や「経絡」の位置を正確に検出するのは困難であるため、従来、これらの位置を正確に検出することのできる装置（例えば、特許文献１〜４参照。）や、「経穴」の位置を検出した後、電位治療を行うことができる装置（例えば、特許文献５参照。）などが提案されている。
【０００７】
【特許文献１】特開平１０−３３６３１号公報
【特許文献２】特開平１１−１９２２１０号公報
【特許文献３】特開２００３−１２６０５５号公報
【特許文献４】特開２００３−１５９３０６号公報
【特許文献５】特開２００５−２０４７７４号公報
【発明の開示】
【発明が解決しようとする課題】
【０００８】
特許文献１〜４に記載された「ツボ検出器」などを用いれば、経穴や経絡の位置を検出することができるが、病気が起きている臓器や病状を知ることは困難である。また、特許文献１〜３に記載された機材の場合、その一部を被験者の身体に接触させなければならないので、皮膚との接触状態や発汗の有無などにより、検出精度が悪化することがある。
【０００９】
一方、特許文献５に記載された「ツボ検知式電位治療器」は、被験者の身体に接触させる方式ではあるが、ツボを検知した後、経穴に電圧を印加して電位治療を行うことができる。しかしながら、この「ツボ検知式電位治療器」も、特許文献１〜４に記載された装置と同様、病気が起きている臓器や病状を知ることは困難である。
【００１０】
本発明が解決しようとする課題は、被験者の身体に接触することなく、被験者の病気に関する情報を迅速且つ正確に把握することのできるエネルギ検知装置を提供することにある。
【課題を解決するための手段】
【００１１】
本発明のエネルギ検知装置は、生体が発する微弱な電磁気的エネルギを検知するプローブと、前記プローブと電気的に接続された本体部と、を備え、
前記プローブが、クロス積層状態に配列された複数のブリッジダイオードの端子をそれぞれ並列に接続して形成された積層ダイオードと、前記積層ダイオードの端子と接続されたフェライトコアと、前記積層ダイオードの端子からそれぞれ延設された接続コードと、を有し、
前記本体部が、格子状のグリッドフェライトの複数箇所に付設された複数の導電部材と、それぞれの前記導電部材上にクロス積層状態にして配置された複数のブリッジダイオードと、複数の前記ブリッジダイオードの端子同士を並列接続して形成された回路に導通する接続端子と、を有することを特徴とする。
【００１２】
このような構成とすれば、プローブの積層ダイオードは、人体が局部的に発している微弱な電磁気的エネルギ（電磁波など）をキャッチして、それに共鳴するアンテナ的な機能を発揮する。従って、本体部に接続されたプローブを験者が手で持って、そのフェライトコア側を被験者の身体に近づけ、非接触の状態を保ちながら、経絡に沿って移動させると、当該経絡に繋がる経穴に異常が無いとき、プローブは経絡に沿ってスムーズに移動するが、経穴に異常があるとプローブは微弱な反発力を受け、プローブが移動中に経絡から外れ、スムーズな移動ができなくなる。このような現象が生じるのは、経穴に異常がある場合、これに繋がる経絡を流れる微弱な電磁気的エネルギに乱れが生じ、これをキャッチしたプローブが微弱な反発力を受けるためではないかと推測される。
【００１３】
従って、経絡に沿ってプローブをスムーズに移動できない場合、当該経絡に繋がる経穴と関連する内臓や身体部位に異常が生じていると判断することができる。このように、身体にある各種経絡に沿ってプローブを移動させることにより、身体の異常を発見することができるため、被験者の身体に接触することなく、被験者の病気に関する情報を迅速且つ正確に把握することができる。
【００１４】
ここで、前記プローブに、前記フェライトコアに開設された貫通孔を通過して外部に向かってレーザ光を出射可能なレーザ発振手段を設けることが望ましい。このような構成とすれば、レーザ光を身体に照射しながらプローブを移動させることにより、プローブの移動経路を目視確認することができるため、当該プローブを経絡に沿って正確に移動させることができる。また、プローブの動きのブレや乱れは、身体上のレーザ光の照射点の動きとなって現れるため、経絡や経穴の異常を正確に把握することができる。
【００１５】
一方、前記本体部に、前記プローブの前記フェライトコアにパルス電流を供給する発振回路を設けることもできる。このような構成とすれば、フェライトコアを通過して出射されるレーザ光にパルス電圧を印加することができるため、このようなレーザ光を経穴に照射することにより、当該経穴と関連する部位や臓器の治療を行うこともできる。
【００１６】
この場合、前記発振手段に、周波数１Ｈｚ〜１７ｋＨｚの範囲で連続的に周波数が変化するパルス電流を発振可能なオートスウィープ発振回路を設ければ、広範囲にわたる周波数を有するパルス電圧をレーザ光に印加することが可能となるため、優れた治療効果が得られる。
【００１７】
一方、前記本体部に、周波数１Ｈｚ〜１７ｋＨｚの範囲内の何れかの周波数のパルス電流を選択的に発振可能な発振回路を設ければ、特定の周波数のパルス電圧をレーザ光に印加することが可能となるため、病状に適した周波数を選択することにより、的確な治療効果を得ることができる。
【発明の効果】
【００１８】
本発明により、被験者の身体に接触することなく、被験者の病気に関する情報を迅速且つ正確に把握することのできるエネルギ検知装置を提供することができる。
【発明を実施するための最良の形態】
【００１９】
以下、本発明の実施の形態について説明する。図１は本発明の実施の形態であるエネルギ検知装置を示す斜視図、図２は図１に示すプローブの概略構成図、図３は図１に示すプローブの一部分解斜視図、図４は図１に示すプローブの回路図である。また、図５は図１に示す本体部の概略構成図、図６は図１に示す本体部の回路図、図７は図１に示す本体部に内蔵されたグリッドフェライトコアの回路図、図８は図７に示すグリッドフェライトコア部の回路図、図９（ａ）は図８に示すグリッドフェライトコア部の一部切欠斜視図、図９（ｂ）は図９（ａ）中のＹ−Ｙ線における断面図である。
【００２０】
図１に示すように、本実施形態のエネルギ検知装置１０は、生体が発する微弱な電磁気気的エネルギを検知するプローブ５と、プローブ５とケーブル５ｅを介して電気的に接続された本体部８と、を備えている。プローブ５は、略円筒状の把持部５ｂと、その基端部から延設されたコネクタ５ｃ付きのケーブル５ｅと、有し、把持部５ｂの外周面の基端寄りの部分には、後述するレーザ光を出射、停止するためのスイッチ６が設けられ、把持部５ｂの先端にはフェライトコア５ｄが取り付けられ、その中心にはレーザ光を通過させるための貫通孔５ａが開設されている。
【００２１】
略直方体形状の本体部８の正面パネル８ａには、回転式のＰＯＷＥＲスイッチ１，ＳＣＨＵＭＡＮＮスイッチ２，ＬＡＳＥＲスイッチ３，周波数切替ツマミ４及びコネクタ接続部７が設けられ、ＰＯＷＥＲスイッチ１及びＬＡＳＥＲスイッチ３の上方には、それぞれパイロットランプ１ｐ，３ｐが設けられている。プローブ５から延設されたケーブル５ｅのコネクタ５ｃは、本体部８の正面パネル８ａのコネクタ接続部７に着脱可能に接続されている。
【００２２】
ＰＯＷＥＲスイッチ１を回転操作することにより、当該エネルギ検知装置１０の電源のＯＮ・ＯＦＦと、その作動モード切替（ＬＡＳＥＲモード、ＮＯＲＭＡＬモードまたはＡＵＴＯモード）と、を行うことができる。ＳＣＨＵＭＡＮＮスイッチ２を操作すると、本体部８からプローブ５へＳＣＨＵＭＡＮＮ波（地球の大地と電離層との間の空間における共振周波数７．８Ｈｚの電磁波）と同じ周波数のパルス電流を供給したり、停止したりすることができる。ＬＡＳＥＲスイッチ３を操作することにより、プローブ５からのレーザ光の出射、停止をスイッチ６の手動操作で行うか、プローブ５から連続的にレーザ光を出射するかの切り替えを行うことができる。周波数切替ツマミ４は、本体部８からプローブ５へ供給されるパルス電流の周波数を選択的に切り替えるためのものである。
【００２３】
図２〜図４に示すように、プローブ５は、４個のダイオード（図４参照）で形成された複数のブリッジダイオード１１を互いにクロス積層状態に配列し、各ブリッジダイオード１１の４本の端子１１ａをそれぞれ並列に接続して形成された積層ダイオード１２と、積層ダイオード１２の４本の端子１１ａと４本の電線１３を介して接続されたフェライトコア５ｄと、積層ダイオード１２の４本の端子１１ａからそれぞれ延設された４本の接続コード１４と、を有している。
【００２４】
また、プローブ５には、フェライトコア５ｄに開設された貫通孔５ａを通過して外部に向かってレーザ光を出射可能なレーザ発振手段１５と、レーザ発振手段１５に給電するための電線１６と、レーザ発振手段１５をＯＮ・ＯＦＦするためのスイッチ６と、が設けられている。レーザ発振手段１５は、積層ダイオード１２とフェライトコア５ｄとの間に配置されている。
【００２５】
図５〜図９に示すように、本体部８は、グリッドフェライト部１８、手動調整発振回路１９、オートスイープ発振回路２０、位相反転回路２１及び複数の出力回路２２などを備えている。グリッドフェライト部１８は、格子状のグリッドフェライト本体１８ａと、その複数箇所に付設された導電部材２４と、それぞれの導電部材２４上にクロス積層状態にして配置された二つのブリッジダイオード２３と、複数のブリッジダイオード２４の端子同士を接続するとともに、コンデンサＣ１〜Ｃ２０と組み合わせて形成された回路に導通する４個の接続端子２５と、を有している。そして、プローブ５の４本の接続コード１４と、本体部８の４個の接続端２５と、が着脱可能に接続されている。
【００２６】
グリッドフェライト部１８においては、図９に示すように、グリッドフェライト本体１８ａの格子部分に銅板製の導電部材２４を巻き付け、その外面にクロス積層された二つのブリッジダイオード２４を貼着し、ブリッジダイオード２４の端子を導電部材２３に半田付けしている。
【００２７】
本体部８内に設けられた手動調整発振回路１９、オートスイープ発振回路２０により、プローブ５のフェライトコア５ｄへパルス電流を供給することができる。この場合、オートスイープ発振回路２０は、周波数１Ｈｚ〜１７ｋＨｚの範囲で連続的に周波数が変化するパルス電流を発生する機能を有し、手動調整発振回路１９は、周波数１Ｈｚ〜１７ｋＨｚの範囲内の何れかの周波数のパルス電流を選択的に発生する機能を有する。
【００２８】
本体部８の正面パネル８ａにあるＰＯＷＥＲスイッチ１をＮＯＲＭＡＬモードにセットすると、手動調整発振回路１９が作動するので、周波数切替ツマミ４を回転調節することにより、周波数１Ｈｚ〜１７ｋＨｚの範囲内の何れかの周波数のパルス電流がプローブ５へ供給される。一方、ＰＯＷＥＲスイッチ１をＡＵＴＯモードにセットすると、オートスイープ発振回路２０が作動するので、周波数１Ｈｚ〜１７ｋＨｚの範囲内で連続的に周波数が変化するパルス電流がプローブ５へ供給される。
【００２９】
次に、図１及び図１０，図１１に基づいて、エネルギ検知装置１０の使い方について説明する。図１０，図１１はエネルギ検知装置１０の使用状態を示す図である。
【００３０】
エネルギ検知装置１０のプローブ５に内蔵された積層ダイオード１２（図３参照）は、被験者の身体Ｍが局部的に発している微弱な電磁気的エネルギ（電磁波など）をキャッチして、それに共鳴するアンテナ機能などを兼備えている。従って、本体部８に接続されたプローブ５を験者が手で持って、そのフェライトコア５ｄ側を被験者の身体Ｍに近づけ、経絡（図示せず）に沿って移動させると、当該経絡に繋がる経穴（図示せず）に異常が無いとき、プローブ５は経絡に沿ってスムーズに移動する。
【００３１】
一方、経穴に異常がある場合、それに繋がる経絡に沿ってプローブ５を動かすと、プローブ５は微弱な力を受け、移動中のプローブ５にブレが生じるため、経絡に沿ってスムーズに移動することができない。このような現象が生じる理由は、一部不明な部分もあるが、経穴に異常があると、これに繋がる経絡を流れる微弱な電磁気的エネルギに乱れが生じ、これをキャッチしたプローブ５が微弱な反発力を受けるためではないかと推測される。
【００３２】
従って、経絡に沿ってプローブ５をスムーズに移動できない場合、当該経絡に繋がる経穴と関連する内臓や身体部位に異常が生じていると判断することができる。このように、身体Ｍに存在する各種経絡に沿ってプローブ５を移動させることにより、身体Ｍの異常を発見することができるため、被験者の身体Ｍに接触することなく、被験者の病気に関する情報を迅速且つ正確に把握することができる。
【００３３】
また、プローブ５はレーザ発振手段１５を有するので、フェライトコア５ｄの貫通孔５ａから出射するレーザ光Ｌを身体Ｍに照射しながらプローブ５を移動させれば、プローブ５の移動経路を目視確認することができるため、プローブ５を経絡に沿って正確に移動させることができる。また、移動中に生じるプローブ５の動きのブレや乱れは、身体Ｍ上のレーザ光の照射点Ｐの動きとなって現れるため、経絡や経穴の異常を正確に把握することができる。
【００３４】
一方、プローブ５のフェライトコア５ｄにパルス電流を供給する発振回路（手動調整発振回路１９、オートスイープ発振回路２０）が本体部８に設けられているため、前記発振回路を作動させ、フェライトコア５ｄを通過して出射されるレーザ光Ｌにパルス電圧を印加することができる。このようなレーザ光Ｌを経穴に照射し、所定の刺激を与えることにより、当該経穴と関連する部位の治療を行うこともできる。即ち、エネルギ検知装置１０は治療装置としての機能も有している。
【００３５】
この場合、ＰＯＷＥＲスイッチ１をＡＵＴＯモードにセットして、オートスイープ発振回路２０を作動させれば、周波数１Ｈｚ〜１７ｋＨｚの範囲で連続的に周波数が変化するパルス電流に基づくパルス電圧をレーザ光Ｌに印加することができるため、優れた治療効果が得られる。一方、ＰＯＷＥＲスイッチ１をＮＯＲＭＡＬモードにセットし、周波数切替ツマミ４を操作すれば、手動調整発振回路１９が作動し、特定周波数のパルス電圧をレーザ光Ｌに印加することが可能となるため、病状に適した周波数を選択することにより、特的疾患に対する治療効果を高めることができる。
【産業上の利用可能性】
【００３６】
本発明は、患者の病気の診察、治療などが行われる医院、病院などの各種医療機関において広く利用することができる。
【図面の簡単な説明】
【００３７】
【図１】本発明の実施の形態であるエネルギ検知装置を示す斜視図である。
【図２】図１に示すプローブの概略構成図である。
【図３】図１に示すプローブの一部分解斜視図である。
【図４】図１に示すプローブの回路図である。
【図５】図１に示す本体部の概略構成図である。
【図６】図１に示す本体部の回路図である。
【図７】図１に示す本体部に内蔵されたグリッドフェライトコアの回路図である。
【図８】図７に示すグリッドフェライトコア部の回路図である。
【図９】（ａ）は図８に示すグリッドフェライトコア部の一部切欠斜視図であり、（ｂ）は前記（ａ）中のＹ−Ｙ線における断面図である。
【図１０】図１に示すエネルギ検知装置の使用状態を示す図である。
【図１１】図１に示すエネルギ検知装置の使用状態を示す図である。
【符号の説明】
【００３８】
１  ＰＯＷＥＲスイッチ
１ｐ，３ｐ  パイロットスイッチ
２  ＳＣＨＵＭＡＮＮスイッチ
３  ＬＡＳＥＲスイッチ
４  周波数切替ツマミ
５  プローブ
５ａ  貫通孔
５ｂ  把持部
５ｃ  コネクタ
５ｄ  フェライトコア
５ｅ  ケーブル
６  スイッチ
７  コネクタ接続部
８  本体部
８ａ  正面パネル
１０  エネルギ検知装置
１１，２４  ブリッジダイオード
１１ａ  端子
１２  積層ダイオード
１３，１６  電線
１４  接続コード
１５  レーザ発振手段
１８  グリッドフェライト部
１８ａ  グリッドフェライト本体
１９  手動調整発振回路
２０  オートスイープ発振回路
２１  位相反転回路
２２  出力回路
２３  導電部材
２５  接続端
Ｃ１〜Ｃ２０  コンデンサ
Ｌ  レーザ光
Ｍ  身体
Ｐ  照射点
【図１】
0005132422.tif 000002
【図２】
0005132422.tif 000003
【図３】
0005132422.tif 000004
【図４】
0005132422.tif 000005
【図５】
0005132422.tif 000006
【図６】
0005132422.tif 000007
【図７】
0005132422.tif 000008
【図８】
0005132422.tif 000009
【図９】
0005132422.tif 000010
【図１０】
0005132422.tif 000011
【図１１】
0005132422.tif 000012